(57)【要約】      （修正有）【課題】作業能率が高く、切り口を潰さない２芽苗用サトウキビ切断機を提供する。【解決手段】それぞれの回転軸が同一平面に存在する１対の回転体を設け、それぞれの回転体は回転軸から半径方向外方に延在し、かつ、一直線上に整列した２個のサトウキビ切断用の切断刃と回転軸から半径方向外方に延在する複数のゴム部材とを有するサトウキビ切断機であって、１対の回転体は互いに反対方向に同期して回転され、１対の回転体の一方の切断刃と、他方の回転体の切断刃とが整合したときに、両切断刃は、その間にサトウキビを咬合してサトウキビを切断するように構成されてる。【選択図】図４
2007210046.tif 000002
【特許請求の範囲】
【請求項１】
それぞれの回転軸が同一平面に存在する１対の回転体を設け、それぞれの前記回転体は前記回転軸から半径方向外方に延在する少なくとも１つのサトウキビ切断用の切断刃と前記回転軸から半径方向外方に延在する複数のゴム部材とを有し、前記１対の回転体は互いに対応した切断刃及びゴム部材を有するサトウキビ切断機であって、前記１対の回転体は互いに反対方向に同期して回転され、前記１対の回転体の一方の前記切断刃と、他方の回転体の対応する前記切断刃とが整合したときに、両切断刃は、その間にサトウキビを咬合してサトウキビを切断するように構成され、前記１対の回転体の一方の前記ゴム部材と、他方の回転体の対応する前記ゴム部材とが整合したときに、前記ゴム部材間にサトウキビを噛みこんで、サトウキビを前記１対の回転体の回転速度に対応する周速度で前記１対の回転体間に送り込むように構成され、前記切断刃の個数及び前記切断刃先端と前記回転軸中心との間の距離は、切断されるサトウキビが２節を含むように構成されているサトウキビ切断機。
【請求項２】
それぞれの前記回転体は一直線上に整列した２個の切断刃を有し、前記２個の切断刃の先端は互いに逆方向向きであり、前記切断刃先端と前記回転軸中心との間の距離をＲ、πを円周率とすると、Ｒ×πは、サトウキビ節間の距離より大きい請求項１に記載のサトウキビ切断機。
【請求項３】
前記１対の回転体の回転軸が存在する平面が、水平、垂直、或いは、任意の角度で構成される請求項１又は２に記載のサトウキビ切断機。
【発明の詳細な説明】
【技術分野】
【０００１】
本発明はサトウキビ切断機に関し、特に、サトウキビの茎を切断して苗を作るサトウキビ切断機に関する。
【背景技術】
【０００２】
サトウキビ（以下「キビ」ということもある。）は、その茎の長さに沿って複数の節があり、１節に１芽があるので、キビの苗（以下「キビ苗」という。）はその節を含むようにして切断して作られる。節を２つ含む長さにキビを切断して得られるキビ苗は、発芽確率が高くなることが知られている。２つの節を含むキビ苗は２芽苗(或いは、２節苗)と言われている。キビ苗或いは２芽苗を畝に沿って置き、土をかけておくと発芽する。
【０００３】
従来は、キビの２芽苗を、鎌を用いて手作業でキビを切断して作っていたが、労力がかかり、或いは、作業員が怪我をすることもあるのが問題であった。又、２芽苗を作る際に、キビ苗の芽が潰されないように、或いはキビ苗の切り口を潰さないように切断しなければならない。
【０００４】
特開平１０−３１３６１１号公報には、回転式の円盤カッタによって、キビを節と節との間で切断する装置が記載されているが、円盤カッタで切断するので切り屑が出るばかりか、キビを１茎ずつ切断するので、１節切断毎に切断箇所を手作業で調節する必要があり、作業能率が悪い問題があり、かつ、切断作業の危険度の高いものであった。
【０００５】
【特許文献１】特開平１０−３１３６１１号公報
【発明の開示】
【発明が解決しようとする課題】
【０００６】
本発明は、キビの２芽苗を作るにあたり、その作業が安全で、省力化が図れ、構成が簡単で、かつ、作業能率が高く、切り屑のでない、切り口を潰さないサトウキビ切断機を提供するものである。
【課題を解決するための手段】
【０００７】
本発明は、それぞれの回転軸が同一平面に存在する１対の回転体を設け、それぞれの回転体は回転軸から半径方向外方に延在する少なくとも１つのサトウキビ切断用の切断刃と回転軸から半径方向外方に延在する複数のゴム部材とを有し、１対の回転体は互いに対応した切断刃及びゴム部材を有するサトウキビ切断機であって、１対の回転体は互いに反対方向に同期して回転され、１対の回転体の一方の切断刃と、他方の回転体の対応する切断刃とが整合したときに、両切断刃は、その間にサトウキビを咬合してサトウキビを切断するように構成され、１対の回転体の一方のゴム部材と、他方の回転体の対応するゴム部材とが整合したときに、ゴム部材間にサトウキビを噛みこんで、サトウキビを１対の回転体の回転速度に対応する周速度で１対の回転体間に送り込むように構成され、切断刃の個数及び切断刃先端と回転軸中心との間の距離は、切断されるサトウキビが２節を含むように構成されていることを特徴とするものである。
【０００８】
１対の回転体の回転軸の存在する平面は、地面に対して水平、垂直、或いは、任意の角度とすることができる。
【発明の効果】
【０００９】
本発明により、切断刃は苗に略直角に咬合するので、苗の切り口が茎に略直角になり、切り口を潰さないで２芽苗を得ることができる。キビ苗を垂直に切断することにより、切り口の表面積が小さくなり、キビ苗内の水分の蒸発を防ぎ、キビ苗の新鮮さを維持し発芽を早める効果を有する。又、キビを送り込むのに回転体に取り付けたゴム部材を使用するので、キビ苗の芽を傷めることがない。また、本発明のサトウキビ切断機は、それ自体がコンパクトであるため持ち運びが容易である。従って、本発明のサトウキビ切断機を発電機と併用することによって、場所を選ばず、例えば圃場又は自宅において２芽苗を作る作業が可能となる。
【発明を実施するための最良の形態】
【００１０】
図１乃至４に、本発明の実施するための最良の形態のサトウキビ切断機を示す。図１はサトウキビ切断機１の概略正面図、図２はその側面図であるが、筐体１１の正面板と筐体１１の内部に設置される１対の回転体を取り外した状態を示している。筐体１１の上部板にはホッパ１３が取り付けられ、その上部板にホッパ１３に対応して設けた開口が設けられている。キビはホッパから挿入され、筐体１１上部板の開口を通して筐体１１内部に送り込まれる。２点鎖線で示す１対の円１４は、回転軸に取り付けられた切断刃が回転する際の切断刃先端の軌跡を示す。回転体の回転軸は、筐体１１上部に設置されたモーター１５によってチェーン１６によりチェーン駆動されて回転させられる。筐体１１を支持する４本の脚部１２間に、切断されて落下するキビ苗を受けるためのサンテナ（図示せず）を配置する。
【００１１】
図３は、図１の線Ａ−Ａの位置の断面図で、１対の回転体２０ａ，２０ｂを筐体１１に取り付けた平面図を示す。ただし、図示を簡単にするため、回転体から放射状に延在する切断刃、ゴム部材、及びそれらの支持体は図示を省略してある。それぞれの回転体２０ａ，２０ｂの回転軸２１ａ，２１ｂに取り付けられた歯車２２ａ，２２ｂが、２３の箇所で互いに噛み合い、一方の回転軸２２ａがモーター１５によりチェーン１６を介してチェーン駆動されて回転すると、他方の回転軸２２ｂが従動して回転軸２１ａとは逆方向に回転する。歯車２２ａ，２２ｂを、同じ形状、同じ歯数に形成すれば、回転軸２１ｂは、回転軸２１ａと回転速度が同じになる。
【００１２】
図４は、図３の線Ｂ−Ｂの位置の断面図を示す。鉄のような金属製の回転軸２１ａ，２１ｂに、放射状に切断刃支持体２４及びゴム部材支持体２５が設けられている。切断刃支持体２４及びゴム部材支持体２５も鉄のような金属製である。回転軸２１ａ，２１ｂを鉄製にして、これら支持体と一体に鋳造形成しても良いし、回転軸２１ａ，２１ｂに溶接して取り付けても良い。これら支持体２４、２５の半径方向外方にそれぞれの切断刃２６或いはゴム部材２７が取り付けられている。
【００１３】
切断刃支持体２４と切断刃２６は、それぞれに貫通孔を設けて、その貫通孔を介してボルトを通して、ナットで固定する。ゴム部材２７は、図示の例では、ゴム部材の中央をループ状になるようにして、ゴム部材の両端をゴム部材支持体２５に、それぞれに設けた貫通孔にボルトを通して、ナットで固定する。
【００１４】
図３に示すように回転軸２１ａと回転軸２１ｂは歯車２２ａ，２２ｂにより同期して回転するので、両回転体の切断刃をその刃先を一致するように回転軸２１ａ，２１ｂに取り付けておけば、１回転するごとに刃先が一致する。両回転体の切断刃が同一平面で一致する箇所にサトウキビが存在すれば、サトウキビがその箇所で切断される。図示の例では、それぞれの回転軸２１ａ，２１ｂに２個の切断刃が取り付けられているので、回転体が１回転すると、サトウキビの切断が２回行われる。それぞれの回転体の２個の切断刃の刃先の回転する軌跡（２点鎖線で示す）の円１４上の刃先間の円周間距離を、サトウキビの２節を含むように構成すると、サトウキビを切断して２芽苗を作ることができる。
【００１５】
図５は、本発明の別の実施に形態の正面略図である。図１乃至４に示したものと同様に形成された両回転体の回転軸を含む平面を垂直にして、サトウキビをサトウキビ切断機に水平に挿入して切断するものである。サトウキビを切断して得られた２芽苗は落下して下方に置かれたサンテナに収納される。
【実施例】
【００１６】
図１乃至４に示すサトウキビ切断機１を次のように作成した。筐体１１、脚部１２、ホッパ１３はいずれも鉄板を用いて作成した。鉄板の代わりにアルミ板を使用すれば、軽量化を図ることができる。筐体１１の寸法の単位はｍｍである。なお、筐体１１の下部は、切断されたサトウキビが落下する箇所なので、下部板を設けていない。回転体の回転軸２１ａ，２１ｂは、直径４０ｍｍのシャフトを使用した。切断刃支持体２４、断面が長方形の鉄材を使用し、切断刃２６を取り付ける側面の幅（切断刃の刃の長さ）は、１５０ｍｍである。切断刃を切断刃支持体には、両者を貫通する孔にボルトを挿入し、ナットで締め付け固定した。ゴム部材支持体２５には長方形断面の鉄材を使用し、長方形断面のゴム部材をボルトとナットで固定した。切断刃２６は、鉄材を使用して作成した。本実施例では、図示のようにいずれの回転体にも２本の切断刃２６を同一直線状に取り付け、両切断刃の刃先間の直線距離を２００ｍｍとした。切断刃２６が回転したときの刃先の運動する軌跡の円周の長さは、２００（ｍｍ）×πとなり、両切断刃の刃先間の円周方向の距離は、１００（ｍｍ）×πとなる。従って、１００×π（ｍｍ）≒３１ｃｍがサトウキビの切断長である。実際は、キビの平均直径は２ないし３ｃｍなので、接触径が小さくなり、キビ苗の長さは約２９ｃｍとなる。通常、キビ苗を収容するサンタナの幅が３０ｃｍなので、キビ苗の長さが約２９ｃｍとなるような刃先間の直線距離とした。サトウキビの節間の長さは、長いもので１５ｃｍ、短いもので５ｃｍ程度なので、本実施例のサトウキビ切断機により、２芽苗が得られる。
【００１７】
両回転体の回転軸２１ａ，２１ｂの一端に取り付けた歯車２２ａ，２２ｂには、標準平歯車（モジュール２．０、歯数１００、ピッチ円直径２００ｍｍ）のものを使用した。
【００１８】
なお、回転体を駆動するモーターとして、１００Ｖ、０．４Ｗ、減速比１／３０のものを使用した。処理速度は、約８０本／分でサトウキビを切断した。反当りの処理本数は、３，２００本であるが、これを約４０分で切断できた。なお、キビを本実施例のサトウキビ切断機に、通常２本ずつ挿入することができ、最大では３本ずつ挿入することができ、処理速度を、それぞれ２倍、３倍にして更に作業時間を短縮し、かつ、安全に作業することができ、同一寸法の２芽苗を得ることができた。この切断作業を、鎌を用いて手作業で行うと４乃至５時間かかる。
【図面の簡単な説明】
【００１９】
【図１】本発明による１実施例のサトウキビ切断機の構成の１部省略した簡略正面図。
【図２】図１に示すサトウキビ切断機の簡略側面図。
【図３】図１に示すサトウキビ切断機のＡ−Ａ位置の断面図で、回転体を省略した図。
【図４】図３に示すサトウキビ切断機断面図のＢ−Ｂ位置の断面図。
【図５】本発明による他の実施例のサトウキビ切断機の簡略正面図。
【符号の説明】
【００２０】
１  サトウキビ切断機
１３  ホッパ
１４  切断刃が回転する際の切断刃先端の軌跡
１５  モーター
２０ａ，２０ｂ  回転体
２１ａ，２１ｂ  回転軸
２４  切断刃支持体
２５  ゴム部材支持体
２６  切断刃
２７  ゴム部材
Ｒ  切断刃先端と回転軸中心との間の距離
【図１】
2007210046.tif 000003
【図２】
2007210046.tif 000004
【図３】
2007210046.tif 000005
【図４】
2007210046.tif 000006
【図５】
2007210046.tif 000007